(57)【特許請求の範囲】
【請求項１】
上面に木レンガを保持する複数の保持区画部が形成された木レンガ敷設枠であって、木レンガ敷設枠の外周側壁には木レンガ敷設枠が相互に接続可能な係合部を形成し、隣接する保持区画部は切断可能な連結部を介して連結し、各保持区画部の隅角部には下方に突出する脚部を形成して保持区画部下面に配管挿通部を形成し、脚部には嵌込部を対向して形成し、保持区画部の脚部間に開口する配管挿通部を両側が嵌込部に嵌合する蓋部材により隠蔽可能としたことを特徴とする木レンガ敷設枠。
【発明の詳細な説明】
【０００１】
【発明の属する技術分野】
この発明は、木レンガを保持する保持区画部が複数形成された木レンガ敷設枠に関するものであり、排水管、水道ホース等の露出配管があるベランダ、ポーチ等に敷設して舗装するのに有用なものである。
【０００２】
【従来の技術】
従来、住宅のベランダあるいはポーチ等に木レンガを敷設する場合、木レンガを保持する保持区画部を形成した樹脂製の木レンガ敷設枠に、予めビス等を用いて保持区画部に木レンガを固定し、木レンガ敷設枠の外周側壁に形成した木レンガ敷設枠が相互に接続可能な係合部を利用して、複数の木レンガ敷設枠を施工場所に連接して配置したものが知られている（特公平３−５５６０２号、同平４−２８８４２号、特開平４−８５４０１号、同平４−１０８９０２号、同平６−２３０７号公報）。
【０００３】
【発明が解決しようとする課題】
しかしながら、上記従来技術においては複数の木レンガを固定した木レンガ敷設枠を単位として木レンガが施工されるため、木レンガを個々に設置する必要がないので、木レンガの施工が簡略化されるが、木レンガを敷設する施工場所の形状が木レンガ敷設枠を連接した形状と一致しない場合、木レンガ敷設枠を単位として施工面積を変更することを余儀なくされ、施工場所の形状に柔軟に対応し難いものであった。
【０００４】
さらに木レンガの施工場所に空調設備の排水管あるいは水道のホース等の配管が配設されている場合、これらの配管は木レンガの下方部に配設し難いため、配管が外部に露出して外観を著しく低下させ、且つ木レンガの施工自体を煩雑なものとしていた。また、外部に露出した配管が障害となって、歩行時のトラブルを招く虞があった。
【０００５】
本発明の目的とするところは、木レンガの施工が施工場所の形状に柔軟に対応できると共に、空調設備等の配管が外部に露出せず美観を低下させることのない、施工の簡単な木レンガ敷設枠を提供することにある。
【０００６】
【課題を解決するための手段】
本発明者等はこのような事情に鑑み鋭意検討を重ねた結果、上面に木レンガを保持する複数の保持区画部が形成された木レンガ敷設枠であって、木レンガ敷設枠の外周側壁には木レンガ敷設枠が相互に接続可能な係合部を形成し、隣接する保持区画部は切断可能な連結部を介して連結し、各保持区画部の隅角部には下方に突出する脚部を形成して保持区画部下面に配管挿通部を形成し、脚部には嵌込部を対向して形成し、保持区画部の脚部間に開口する配管挿通部を両側が嵌込部に嵌合する蓋部材により隠蔽可能としたことにより、所期の目的を達成しうることを認め本発明を完成するに至った。
【０００７】
【作用】
この発明によれば、施工場所の形状が木レンガ敷設枠を連接した形状と一致しない場合、木レンガを保持する保持区画部同士を連結する連結部を鋸等を用いて切断することにより、保持区画部の大きさの単位、換言すれば木レンガの大きさの単位により施工場所の形状に合わせて木レンガを敷設することができる。
【０００８】
さらに、保持区画部における隅角部には脚部が形成され、保持区画部下面に配管挿通部が形成されているので、配管挿通部に空調設備等の配管を配設することができ、さらに脚部には嵌込部を対向して形成し、脚部間に開口する配管挿通部は両側が嵌込部に嵌合する蓋部材により隠蔽した状態で敷設することができる。
【０００９】
【発明の実施の形態】
発明の実施の形態を実施例によって具体的に説明する。
木レンガ敷設枠１は合成樹脂製の成形品であり、平面視正方形状に成形され、正方形状の平板により形成された木レンガ２を保持する正方形状の保持区画部３が四つ区画形成されている。
なお、本実施例においては、木レンガ敷設枠１を四分割した方形状の保持区画部３を区画形成したが、木レンガ２の形状に合わせて保持区画部３の区画数を適宜変更することが可能である。また、木レンガ２の形状も正方形状の平板でなく、長方形状等種々の形状のものを用いても構わない。
木レンガ２は、一つの保持区画部３に四ヶ所穿設された透孔３１を下方から挿通するビス４を用いて保持区画部３に固定される。
【００１０】
木レンガ敷設枠１内における、隣接する保持区画部３同士は部分的に連結された連結部３２を介して一体的に連結されている。そして、これらの連結部３２は図４に示したとおり、鋸５等を用いて木レンガ敷設枠１の各辺から容易に切断することができる。
各保持区画部３の隅角部３３には、下方に向けて突出する脚部３４が四隅に形成されており、脚部３４の高さは約３０〜５０ｍｍ程度となっている。脚部３４が突出形成されることにより、保持区画部３の下面には配管挿通部３５が形成され、ベランダ等に配設される空調装置等の配管６が配管挿通部３５内に配設可能となっている。
脚部３４の下面には六角孔３６が形成され、六角孔３６内に六角ナットを装着して、脚部３４の下方から六角ボルトを六角ナットに螺合して、脚部３４からの六角ボルトの突出量を調節することにより、脚部３４の高さを調節することが可能であり、特に施工面に不陸がある施工場所に有効である。
【００１１】
木レンガ敷設枠１の外周側壁には木レンガ敷設枠１が相互に接続可能な係合部１１が形成され、係合部１１を介して隣接配置される木レンガ敷設枠１同士を連結することができる。
係合部１１は木レンガ敷設枠１における隣り合う外周側壁の二面に雄型係合部１１１が形成され、他の二面には雌型係合部１１２が形成されている。図３に示したとおり、一方の木レンガ敷設枠１の雌型係合部１１２を隣接する他方の木レンガ敷設枠１の雄型係合部１１１に外嵌することにより、隣接配置される木レンガ敷設枠１が連結される。
【００１２】
保持区画部３における隣接する脚部３４、３４間には蓋部材７が配設可能であり、保持区画部３の各脚部３４には嵌込部３７が対向して形成され、蓋部材７の両側下部に形成された凸部７１が嵌込部３７に嵌合する。そして、蓋部材７は脚部３４間に固定され、木レンガ敷設枠１の外周面に開口する配管挿通部３５を隠蔽可能である。
【００１３】
以上の構成からなる本発明木レンガ敷設枠１を用いて木レンガ２をベランダ等に施工する場合、予め保持区画部３の上面にビス４を用いて木レンガ２を固定した木レンガ敷設枠１を施工面積に合わせた数分だけ用意しておき、施工場所の一側位置から係合部１１を介して木レンガ敷設枠１を連接配置する。
施工場所に空調設備等の配管６が配設されている場合、保持区画部３の下面に形成された配管挿通部３５内に配管６を挿通し、木レンガ敷設枠１を配管６の上から設置する。
【００１４】
木レンガ敷設枠１を連接した形状と施工場所の形状が一致しない部位においては、邪魔となる保持区画部３を連結している連結部３２を鋸５等を用いて切断することにより、当該保持区画部３を木レンガ敷設枠１から切除し、木レンガ敷設枠１の形状を施工場所の形状に合わせて設置する。
施工場所の最外側には、外側面に開口する配管挿通部３５を蓋部材７により隠蔽した木レンガ敷設枠１が配置される。なお、施工場所の最外側に位置する木レンガ敷設枠１が部分的に保持区画部３が切除されたものであっても、保持区画部３の下面に突出する各脚部３４には対向して嵌込部３７が形成されているので、蓋部材７による配管挿通部３５の隠蔽を全て行える。
【００１５】
また、施工面に不陸がある場合、脚部３４の下面に形成した六角孔３６を利用して脚部３４にボルトナットを装着し、ボルトの突出量を調節することにより脚部３４の高さを調節して、木レンガ敷設枠１を水平に保つことができる。
【００１６】
【発明の効果】
この発明は、施工場所の形状が木レンガ敷設枠を連接した形状と一致しなくても、保持区画部の大きさを単位として施工場所の形状に合わせることができ、保持区画部下面には配管挿通部が形成されているので、空調設備の排水管あるいは水道のホース等の配管の上から木レンガ敷設枠を設置することができ、さらに脚部間に開口する配管挿通部は蓋部材により隠蔽可能としているので、配管による歩行時のトラブルを回避することができると共に、配管の露出による美観の低下を防ぐことが可能となる。
【図面の簡単な説明】
【図１】本発明木レンガ敷設枠の一部を展開した状態の斜視図
【図２】本発明木レンガ敷設枠を連接した状態を表わす斜視図
【図３】本発明木レンガ敷設枠の係合部を表わす要部拡大斜視図
【図４】本発明木レンガ敷設枠の切断方法を示した斜視図
【図５】本発明木レンガ敷設枠の平面図
【図６】本発明木レンガ敷設枠に木レンガを装着した状態を表わす側面図
【図７】本発明蓋部材を装着した状態を表わす一部を欠載した要部拡大図
【図８】（Ａ）は本発明蓋部材を表わす平面図、（Ｂ）は同じく正面図を示す。
【符号の説明】
１    木レンガ敷設枠
３    保持区画部
７    蓋部材
２    木レンガ
１１    係合部
３２    連結部
３３    隅角部
３４    脚部
３５    配管挿通部
【図１】
0003633339.tif 000002
【図２】
0003633339.tif 000003
【図３】
0003633339.tif 000004
【図４】
0003633339.tif 000005
【図５】
0003633339.tif 000006
【図６】
0003633339.tif 000007
【図７】
0003633339.tif 000008
【図８】
0003633339.tif 000009